(57)【要約】【課題】嵩上枠をコンテナに確実に装着することができかつ装着強度が高い嵩上枠及び嵩上枠付きコンテナを提供する。【解決手段】本発明の嵩上枠２０の角部２０Ｃ側の第１の外側突壁３１群と上端フランジ１４との嵌合は、角部２０Ｃから離れた側の第２の外側突壁３２群と上端フランジ１４との嵌合より緩い。また、嵩上枠２０の角部２０Ｃ側の第１の内側突壁４１群と上端フランジ１４との嵌合も、角部２０Ｃから離れた側の第２の内側突壁４２群と上端フランジ１４との嵌合より緩い。これらにより、寸法公差により嵩上枠２０とコンテナ１０の大きさがばらついても、角部２０Ｃ側の第１の外側突壁３１群と上端フランジ１４との干渉が抑えられて、第１の外側突壁３１群を上端フランジ１４の外側に確実に嵌合させることができる。【選択図】図１１
2018104020.tif 000002
【特許請求の範囲】
【請求項１】
コンテナの上面開口の開口縁から側方に張り出す上端フランジの上に重ねられて、前記コンテナの荷物収容領域を上方に拡張する嵩上枠において、
前記上端フランジの上に重ねられる枠形下面と、
前記枠形下面の内縁部の複数位置又は全体から下方に突出して前記上端フランジの内側に嵌合される複数又は１つの内側突壁と、
前記枠形下面の外縁部における複数位置から下方に突出して前記上端フランジの外側に嵌合される複数の外側突壁と、
前記各外側突壁に設けられ、前記上端フランジの下面に係止する係止突部とを備え、
前記外側突壁には、前記枠形下面の１対の対向辺における各両端又は各両端寄り位置に配置された第１の前記外側突壁と、前記第１の外側突壁より前記各対向辺における中央側に配置された第２の前記外側突壁とが含まれ、
前記第１の外側突壁及び前記内側突壁の前記上端フランジに対する当接面同士の間隔より、前記第２の外側突壁及び前記内側突壁の前記上端フランジに対する当接面同士の間隔の方が小さくなっている嵩上枠。
【請求項２】
前記内側突壁は、複数備えられて、前記複数の外側突壁と対向し、
互いに対向する前記第１の外側突壁及び前記内側突壁の前記上端フランジに対する当接面同士の間の中心と、
互いに対向する前記第２の外側突壁及び前記内側突壁の前記上端フランジに対する当接面同士の間の中心とが一致している請求項１に記載の嵩上枠。
【請求項３】
前記第２の外側突壁の前記係止突部が前記第２の外側突壁における前記上端フランジとの当接面から突出する突出量より、前記第１の外側突壁の前記係止突部が前記第１の外側突壁における前記上端フランジとの当接面から突出する突出量の方が大きい請求項１又は２に記載の嵩上枠。
【請求項４】
前記外側突壁のうち前記係止突部の上側に横長のスリットが形成され、
前記係止突部は、前記外側突壁の横方向の中央部に近い側が遠い側より大きく突出している請求項１乃至３の何れか１の請求項に記載の嵩上枠。
【請求項５】
互いに対向する前記外側突壁及び前記内側突壁において、前記対向辺の中央に近い側の方が遠い側より、前記上端フランジに対する当接面同士の間隔が小さくなっている請求項１乃至４の何れか１の請求項に記載の嵩上枠。
【請求項６】
上面開放の直方体状をなしたコンテナと、そのコンテナの上に重ねられて前記コンテナの荷物収容領域を上方に拡張する嵩上枠とからなり、前記嵩上枠には、前記コンテナの上面に重ねられる枠形下面の外縁部から下方に突出して前記コンテナの外側に嵌合される複数の外側突壁が備えられ、各前記外側突壁及び前記コンテナには、前記外側突壁の弾性変形を乗り越えて互いに係合して前記嵩上枠を前記コンテナに係止する係止部が設けられた嵩上枠付きコンテナにおいて、
前記外側突壁には、前記枠形下面の１対の対向辺における各両端又は各両端寄り位置に配置された第１の前記外側突壁と、前記第１の外側突壁より前記各対向辺における中央側に配置された第２の前記外側突壁とが含まれ、
互いに対向する前記第１の外側突壁同士の間に対する前記コンテナの嵌め合いに比べて、互いに対向する前記第２の外側突壁同士の間に対する前記コンテナの嵌め合いがきつくなっている嵩上枠付きコンテナ。
【発明の詳細な説明】
【技術分野】
【０００１】
本発明は、コンテナの上に重ねられて、コンテナの荷物収容領域を上方に拡張する嵩上枠及び、その嵩上枠とコンテナとからなる嵩上枠付きコンテナに関する。
【背景技術】
【０００２】
従来、この種の嵩上枠として、その四隅の近傍位置から複数の外側突壁が垂下すると共に、それら外側突壁の下端部から係止突部が突出したものが知られている。この嵩上枠をコンテナの上に重ねると、複数の外側突壁（以下、適宜、「外側突壁群」という）がコンテナの上端フランジの外側に嵌合しかつ、係止突部が上端フランジの下面に係止する（例えば、特許文献１参照）。
【先行技術文献】
【特許文献】
【０００３】
【特許文献１】実公昭５６−２４１９２号公報（図１、図４）
【発明の概要】
【発明が解決しようとする課題】
【０００４】
しかしながら、上述した従来の嵩上枠の構造では、嵩上枠及びコンテナの寸法公差により、外側突壁群の内側に上端フランジが入らなかったり、逆に外側突壁群の内側に上端フランジが簡単に入るが係止突部による係止が不十分となって、嵩上枠がコンテナから容易に外れる事態が生じ得た。
【０００５】
本発明は、上記事情に鑑みてなされたもので、嵩上枠をコンテナに確実に装着することができかつ装着強度が高い嵩上枠及び嵩上枠付きコンテナの提供を目的とする。
【課題を解決するための手段】
【０００６】
本願発明者は、上記従来の嵩上枠の問題の原因を検討して以下の見知を得た。即ち、コンテナの側壁は、側壁同士が交差する角部から遠い位置ほど（即ち、中央に近いほど）内外に変形し易く、角部に近い位置ほど（即ち、端部に近い位置ほど）内外に変形し難い。嵩上枠の側壁に関しても同様である。また、外側突壁群と上端フランジとの嵌合をきつくすると、嵩上枠とコンテナの寸法公差により外側突壁群と上端フランジとが干渉し合う事態が生じ得る。そして、従来のように外側突壁群を、嵩上枠の側壁の端部に配置した場合、側壁の端部は変形が困難であるが故に、寸法公差により外側突壁群と上端フランジとが干渉し合うと、外側突壁群の内側に上端フランジが入らなくなる。これに対し、外側突壁群を嵩上枠の側壁の中央側に配置すれば、側壁の中央は変形が容易であるから、寸法公差により外側突壁群と上端フランジとが干渉し合っても、側壁を変形させて外側突壁群の内側に上端フランジを嵌合させることができる。一方、外側突壁群の内側に上端フランジが嵌合した状態では、外側突壁群が側壁の端部に配置されている方が中央に配置されているより、嵩上枠とコンテナと間にかかる水平方向の外力に対して強固に耐えることができ、係止突部と上端フランジとの係止も外れ難くなる。
【０００７】
以上の検討により、本願発明者は、外側突壁を嵩上枠の側壁の端部側と中央側とにそれぞれ設けて、端部側の第１の外側突壁群と上端フランジとの嵌合を、中央側の第２の外側突壁群と上端フランジとの嵌合より緩くすることで、上記した問題点を解決することができるという見知を得て、以下の請求項１〜６の発明を完成するに至った。
【０００８】
請求項１の発明は、コンテナの上面開口の開口縁から側方に張り出す上端フランジの上に重ねられて、前記コンテナの荷物収容領域を上方に拡張する嵩上枠において、前記上端フランジの上に重ねられる枠形下面と、前記枠形下面の内縁部の複数位置又は全体から下方に突出して前記上端フランジの内側に嵌合される複数又は１つの内側突壁と、前記枠形下面の外縁部における複数位置から下方に突出して前記上端フランジの外側に嵌合される複数の外側突壁と、前記各外側突壁に設けられ、前記上端フランジの下面に係止する係止突部とを備え、前記外側突壁には、前記枠形下面の１対の対向辺における各両端又は各両端寄り位置に配置された第１の前記外側突壁と、前記第１の外側突壁より前記各対向辺における中央側に配置された第２の前記外側突壁とが含まれ、前記第１の外側突壁及び前記内側突壁の前記上端フランジに対する当接面同士の間隔より、前記第２の外側突壁及び前記内側突壁の前記上端フランジに対する当接面同士の間隔の方が小さくなっている嵩上枠である。
【０００９】
請求項２の発明は、前記内側突壁は、複数備えられて、前記複数の外側突壁と対向し、互いに対向する前記第１の外側突壁及び前記内側突壁の前記上端フランジに対する当接面同士の間の中心と、互いに対向する前記第２の外側突壁及び前記内側突壁の前記上端フランジに対する当接面同士の間の中心とが一致している請求項１に記載の嵩上枠である。
【００１０】
請求項３の発明は、前記第２の外側突壁の前記係止突部が前記第２の外側突壁における前記上端フランジとの当接面から突出する突出量より、前記第１の外側突壁の前記係止突部が前記第１の外側突壁における前記上端フランジとの当接面から突出する突出量の方が大きい請求項１又は２に記載の嵩上枠である。
【００１１】
請求項４の発明は、前記外側突壁のうち前記係止突部の上側に横長のスリットが形成され、前記係止突部は、前記外側突壁の横方向の中央部に近い側が遠い側より大きく突出している請求項１乃至３の何れか１の請求項に記載の嵩上枠である。
【００１２】
請求項５の発明は、互いに対向する前記外側突壁及び前記内側突壁において、前記対向辺の中央に近い側の方が遠い側より、前記上端フランジに対する当接面同士の間隔が小さくなっている請求項１乃至４の何れか１の請求項に記載の嵩上枠である。
【００１３】
請求項６の発明は、上面開放の直方体状をなしたコンテナと、そのコンテナの上に重ねられて前記コンテナの荷物収容領域を上方に拡張する嵩上枠とからなり、前記嵩上枠には、前記コンテナの上面に重ねられる枠形下面の外縁部から下方に突出して前記コンテナの外側に嵌合される複数の外側突壁が備えられ、各前記外側突壁及び前記コンテナには、前記外側突壁の弾性変形を乗り越えて互いに係合して前記嵩上枠を前記コンテナに係止する係止部が設けられた嵩上枠付きコンテナにおいて、前記外側突壁には、前記枠形下面の１対の対向辺における各両端又は各両端寄り位置に配置された第１の前記外側突壁と、前記第１の外側突壁より前記各対向辺における中央側に配置された第２の前記外側突壁とが含まれ、互いに対向する前記第１の外側突壁同士の間に対する前記コンテナの嵌め合いに比べて、互いに対向する前記第２の外側突壁同士の間に対する前記コンテナの嵌め合いがきつくなっている嵩上枠付きコンテナである。
【発明の効果】
【００１４】
請求項１の嵩上枠には、コンテナの上端フランジの外側に嵌合する複数の外側突壁に加え、上端フランジの内側に嵌合する内側突壁を備えるので、嵩上枠とコンテナとの間にかかる水平方向の外力に対する強度が従来より高くなる。また、外側突壁には、嵩上枠の枠形下面の１対の対向辺における端部側の第１の外側突壁と中央側の第２の外側突壁とが含まれ、第１の外側突壁及び内側突壁の上端フランジに対する当接面同士の間隔より、第２の外側突壁及び内側突壁の上端フランジに対する当接面同士の間隔の方が小さくなっている。これにより、寸法公差により嵩上枠とコンテナの大きさがばらついても、端部側の第１の外側突壁群と上端フランジとの干渉が抑えられて、それらを確実に嵌合させることができる。また、嵩上枠の側壁の中央側は変形し易いので、嵩上枠とコンテナの大きさのばらつきにより、中央側の第２の外側突壁群と上端フランジとは干渉しても側壁を変形させてそれらを確実に嵌合させることができる。これらにより、コンテナに嵩上枠を確実に装着することができる。しかも、中央側の第２の外側突壁群と上端フランジとの嵌合は、端部側の第１の外側突壁群と上端フランジとの嵌合よりきついので嵌合が安定する。その嵌合が安定した状態で、第１及び第２の外側突壁の係止突部が上端フランジの下面に係止するので、それら係止も安定し、コンテナに対する嵩上枠の装着強度が高くなる。
【００１５】
また、請求項５の構成では、互いに対向する外側突壁及び内側突壁においても、対向辺の中央に近い側の方が遠い側より、上端フランジに対する当接面同士の間隔が小さくなっているので、寸法公差による嵩上枠とコンテナとの大きさのばらつきに細かく対応することができ、外側突壁及び内側突壁の上端フランジに対する嵌合がより一層安定する。
【００１６】
請求項２のように、内側突壁を、複数備えて複数の外側突壁に対向配置し、互いに対向する第１の外側突壁及び内側突壁の上端フランジに対する当接面同士の間の中心と、互いに対向する第２の外側突壁及び内側突壁の上端フランジに対する当接面同士の間の中心とを一致させることで、内側突壁群においても、外側突壁群と同様に、端部側の内側突壁群も中央側の内側突壁も共に上端フランジに確実に嵌合させることができかつ、中央側の内側突壁群と上端フランジとをきつく嵌合させて、コンテナに対する嵩上枠の装着強度を高くすることができる。
【００１７】
請求項３の構成によれば、上端フランジに対する嵌合がきつい第２の外側突壁の係止突部より嵌合が緩い第１の外側突壁の係止突部の突出量が大きくなっているので、第１と第２の外側突壁の上端フランジに対する係止力のバランスがとれ、コンテナに対する嵩上枠の装着強度が高くなる。
【００１８】
請求項４の構成では、外側突壁が係止突部の上側にスリットを有し、横方向の両端部より中央部が変形し易くなっている。そして、係止突部は、外側突壁の横方向の中央部に近い側が遠い側より大きく突出している。即ち、外側突壁の横方向の位置の相違による変形の容易度に応じて係止突部の突出量が異なっている。これにより、係止突部を外側突壁の横方向に大きくしながらも、その係止も深くすることができる。
【００１９】
請求項６の発明によれば、請求項１の発明と同様に、寸法公差により嵩上枠とコンテナの大きさがばらついても、端部側の第１の外側突壁群とコンテナとの干渉が抑えられて、それらを確実に嵌合させることができる。また、嵩上枠の側壁の中央側は変形し易いので、嵩上枠とコンテナの大きさのばらつきにより、中央側の第２の外側突壁群とコンテナとは干渉しても側壁を変形させてそれらを確実に嵌合させることができる。これらにより、コンテナに嵩上枠を確実に装着することができる。しかも、中央側の第２の外側突壁群とコンテナとの嵌合は、端部側の第１の外側突壁群とコンテナとの嵌合よりきついので嵌合が安定する。その嵌合が安定した状態で、第１及び第２の外側突壁とコンテナの係止部同士が係合して嵩上枠がコンテナに係止されるので、それら係止も安定し、コンテナに対する嵩上枠の装着強度が高くなる。
【００２０】
なお、請求項６に記載の嵩上枠付きコンテナにおいて、前記外側突壁の前記係止部は、前記コンテナに向かって突出する突部構造をなし、前記第２の外側突壁の前記係止部が前記第２の外側突壁における前記コンテナとの当接面から突出する突出量より、前記第１の外側突壁の前記係止部が前記第１の外側突壁における前記上端フランジとの当接面から突出する突出量の方が大きい、構成にすれば、第１と第２の外側突壁のコンテナに対する係止力のバランスがとれ、コンテナに対する嵩上枠の装着強度が高くなる。
【００２１】
また、請求項６に記載の嵩上枠付きコンテナにおいて、互いに対向する前記１対の外側突壁のうち前記対向辺の中央に近い側における前記コンテナとの嵌合が、前記対向辺の中央から遠い側における前記コンテナとの嵌合に比べてきつくなっている、構成にすれば、寸法公差による嵩上枠とコンテナとの大きさのばらつきに細かく対応することができ、外側突壁及び内側突壁のコンテナに対する嵌合がより一層安定する
【図面の簡単な説明】
【００２２】
【図１】本発明の第１実施形態に係る嵩上枠とコンテナの斜視図
【図２】コンテナに嵩上枠が装着された状態の斜視図
【図３】嵩上枠を下方から見た斜視図
【図４】嵩上枠の角部を内側下方から見た斜視図
【図５】嵩上枠の角部を外側下方から見た斜視図
【図６】嵩上枠の側壁の中央部分を内側下方から見た斜視図
【図７】嵩上枠の側壁の中央部分を外側下方から見た斜視図
【図８】図４のＡ−Ａ断面における嵩上枠の側壁の断面図
【図９】図４のＢ−Ｂ断面における嵩上枠の側壁の断面図
【図１０】図６のＣ−Ｃ断面における嵩上枠の側壁の断面図
【図１１】嵩上枠とコンテナの嵌合部分の概念図
【図１２】第２実施形態の嵩上枠とコンテナの嵌合部分の概念図
【図１３】第３実施形態の嵩上枠とコンテナの嵌合部分の概念図
【図１４】本発明の変形例に係る嵩上枠とコンテナの嵌合部分の概念図
【図１５】本発明の変形例に係る嵩上枠とコンテナの嵌合部分の概念図
【発明を実施するための形態】
【００２３】
［第１実施形態］
以下、本発明の一実施形態を図１〜図１１に基づいて説明する。図１には、本発明に係る嵩上枠付きコンテナ１０Ａが、コンテナ１０と嵩上枠２０とに分けた状態で示されている。同図に示すようにコンテナ１０は、上面が開口した直方体状をなし、その平断面形状は、例えば長方形になっている。また、コンテナ１０の上端からは本発明に係る上端フランジ１４が側方に張り出している。上端フランジ１４は、コンテナ１０の全周に亘って形成され、上端フランジ１４の上面は、コンテナ１０全体の上面にもなっている。
【００２４】
コンテナ１０の長辺側壁１１における横方向の両端寄り位置からは、１対の縦リブ１３Ａ，１３Ａが側方に張り出している。また、コンテナ１０の短辺側壁１２，１２を横方向で略３等分する位置からも１対の縦リブ１３Ｂ，１３Ｂが張り出している。さらには、長辺側壁１１と短辺側壁１２とが交差する各角部１０Ｃからも側方に縦リブ１３Ｃが張り出している。また、コンテナ１０の上下方向の中間部分からは、複数の横リブ１５が側方に張り出している。
【００２５】
コンテナ１０の下端には、角部１０Ｃを挟んで隣り合う縦リブ１３Ａ，１３Ｂの間にコーナーフランジ１６がそれぞれ設けられ、各長辺側壁１１の下端部にはコーナーフランジ１６，１６の間を連絡する下端リブ１７が設けられている。コーナーフランジ１６は、下面が開放した筐体構造をなして、内部に図示しない補強リブを備えている。また、コーナーフランジ１６の下面と下端リブ１７の下面とが面一になっている。
【００２６】
また、コンテナ１０の下面には、コーナーフランジ１６及び下端リブ１７の下面より下方に突出する下面突部１０Ｔ（図１参照）が備えられている。そして、コンテナ１０を別のコンテナ１０の上に積み上げたときに、上段側のコンテナ１０の下面突部１０Ｔが下段側のコンテナ１０の角部１０Ｃの内側（即ち、上端フランジ１４の内側）に嵌合し、上段側のコンテナ１０のコーナーフランジ１６及び下端リブ１７が下段側のコンテナ１０の上端フランジ１４上に重なる。コンテナ１０の構成に関する説明は以上である。次に、嵩上枠２０の構成について説明する。
【００２７】
図３に示すように、嵩上枠２０は、上面と下面とが開口した直方体状をなし、その平断面形状はコンテナ１０の上端部の平断面形状と略同一の長方形になっている。また、嵩上枠２０の高さは、例えば、コンテナ１０の全高の１／３〜１／２程度になっている。そして、図２に示すように、嵩上枠２０がコンテナ１０に装着されることで、コンテナ１０内の荷物収容領域が上方に拡張される。
【００２８】
図３に示すように、嵩上枠２０の上端からは、コンテナ１０の上端フランジ１４と同一形状の上端フランジ２５が側方に張り出している。また、嵩上枠２０の下端からは、下端フランジ２４が側方に張り出していて、その下端フランジ２４の下面が、本発明に係る枠形下面２４Ａになっている。さらに、枠形下面２４Ａの外縁部からは嵌合リブ２６が下方に突出している。そして、嵩上枠２０がコンテナ１０に装着されると、図１０に示すように、嵩上枠２０の下端フランジ２４がコンテナ１０の上端フランジ１４の上に重ねられて、嵌合リブ２６が上端フランジ１４の外側に嵌合する。
【００２９】
図２に示すように、嵩上枠２０のうちコンテナ１０の複数の縦リブ１３Ａ，１３Ｂ，１３Ｃの延長線上には、複数の縦リブ２３Ａ，２３Ｂ，２３Ｃが備えられて上端フランジ２５と下端フランジ２４との間を連絡している。また、嵩上枠２０の１対の長辺側壁２１，２１及び１対の短辺側壁２２，２２の各内側面２０Ｎには、複数の縦溝２０Ｍが横並びに形成されている。そして、図示しない仕切り壁の両側部を任意の縦溝２０Ｍ，２０Ｍに係合して嵩上枠２０内及びコンテナ１０内の荷物収容領域を複数の部屋に仕切ることができる。
【００３０】
図３に示すように、嵩上枠２０の下端部には、外側突壁群３０と内側突壁群４０とが、枠形下面２４Ａの外縁部と内縁部とに分散配置されて下方に突出している。そして、図１１に示すように、外側突壁群３０がコンテナ１０の上端フランジ１４の外側に嵌合する一方、内側突壁群４０がコンテナ１０の上端フランジ１４の内側に嵌合し、外側突壁群３０に備えた後述する係止突部５１，５２（図３参照）が上端フランジ１４の下面に係止する。以下、外側突壁群３０及び内側突壁群４０について詳説する。
【００３１】
図３に示すように、外側突壁群３０は、枠形下面２４Ａの各辺（各長辺側壁２１及び各短辺側壁２２）の両端部に配置された複数の第１の外側突壁３１と、枠形下面２４Ａの各辺の長手方向の中央に配置された第２の外側突壁３２とからなる。また、内側突壁群４０は、枠形下面２４Ａの各辺の両端部に配置された複数の第１の内側突壁４１と、枠形下面２４Ａの各辺の長手方向の中央に配置された第２の内側突壁４２とからなる。
【００３２】
図４に示すように、第１の外側突壁３１は、嵌合リブ２６の一部に置き換えて設けられ、枠形下面２４Ａの外縁から垂下された横長の突片形状をなして、嵌合リブ２６より下方まで突出している。図５に示すように、第１の外側突壁３１の外面３１Ｇには、下縁部に沿って延びる下縁補強突条３５と、横方向の両端部の側縁部に沿って上下に延びる１対の側縁補強突条３４，３４とが備えられている。これら側縁補強突条３４及び下縁補強突条３５は、断面四角形をなし、下縁補強突条３５より側縁補強突条３４の方が第１の外側突壁３１の外面３１Ｇから僅かに大きく突出している。また、各側縁補強突条３４の上端部は、下端フランジ２４の上面と嵩上枠２０の外側面２０Ｇとの間を連絡する三角リブ３３に連続している。なお、第１の外側突壁３１の外面３１Ｇのうち側縁補強突条３４，３４と下縁補強突条３５とに囲まれた部分は、嵌合リブ２６の外面と略面一になっている。
【００３３】
図４に示すように、第１の外側突壁３１のうち第１の内側突壁４１と対向する対向面３１Ｎは、全体的に嵌合リブ２６の内面より内側に突出している。即ち、第１の外側突壁３１は、嵌合リブ２６より厚くなっている。
【００３４】
なお、第１の外側突壁３１の対向面３１Ｎは、上下方向に対して平行であると共に嵩上枠２０の平断面の縦横何れかの方向（つまり、１対の長辺側壁２１，２１の対向方向又は１対の短辺側壁２２，２２の対向方向）と平行になっている。これと同様に、第１の外側突壁３１と対向する第１の内側突壁４１の対向面４１Ｎ、第２の外側突壁３２と第２の内側突壁４２との互いに対向する対向面３２Ｎ，４２Ｎ（図５及び図６参照）も、上下方向に対して平行であると共に、嵩上枠２０の平断面の縦横何れかの方向と平行になっている。
【００３５】
図４に示すように、第１の外側突壁３１の対向面３１Ｎからは、係止突部５１と第１と第２の当接突条５４，５５とが突出している。係止突部５１は、第１の外側突壁３１の横方向の両端寄り位置の間に形成され、中央突起５１Ａと、その両横に対称に設けられた１対のサイド突起５１Ｂ，５１Ｂとからなる。これら中央突起５１Ａ及びサイド突起５１Ｂは、図８に示すように、第１の外側突壁３１の横方向から見ると、第１の外側突壁３１の対向面３１Ｎからの突出量が異なる台形状をなしている。
【００３６】
具体的には、中央突起５１Ａ及びサイド突起５１Ｂの先端面５１Ａ１，５１Ｂ１は、共に第１の外側突壁３１の対向面３１Ｎと平行な平坦面となっていて、サイド突起５１Ｂの先端面５１Ｂ１より中央突起５１Ａの先端面５１Ａ１の方が第１の外側突壁３１の対向面３１Ｎから離れている。即ち、中央突起５１Ａの方がサイド突起５１Ｂより対向面３１Ｎから大きく突出している。
【００３７】
図４に示すように、中央突起５１Ａ及びサイド突起５１Ｂには、先端面５１Ａ１，５１Ｂ１の下端と第１の外側突壁３１の下面３１Ｂとの間に傾斜面５１Ａ２，５１Ｂ２が備えられている。また、一方の傾斜面５１Ａ２と下面３１Ｂとが交差してなる稜線３１Ｒと、他方の傾斜面５１Ｂ２と下面３１Ｂとが交差してなる稜線３１Ｒとは共通している。また、図８に示すように、中央突起５１Ａ及びサイド突起５１Ｂの傾斜面５１Ａ２，５１Ｂ２は、上下方向における略同一位置でそれぞれ先端面５１Ａ１，５１Ｂ１と交差していて、中央突起５１Ａの傾斜面５１Ａ２の方が、サイド突起５１Ｂの傾斜面５１Ｂ２より水平方向に対して僅かに緩やかに傾斜している。
【００３８】
なお、図４に示すように、係止突部５１の両側方には、第１の外側突壁３１の下面３１Ｂと対向面３１Ｎとの角部に面取斜面３１Ｓが形成され、それら面取斜面３１Ｓとサイド突起５１Ｂの傾斜面５１Ｂ２とが面一になって連続している。また、面取斜面３１Ｓと下面３１Ｂとが交差してなる稜線３１Ｒも、傾斜面５１Ａ２と下面３１Ｂとが交差してなる稜線３１Ｒと共通している。
【００３９】
図８に示すように、中央突起５１Ａ及びサイド突起５１Ｂの上面は、係止面５１Ａ３，５１Ｂ３となっている。それら両係止面５１Ａ３，５１Ｂ３は互いに面一になって連続し、枠形下面２４Ａと平行になっている。また、両係止面５１Ａ３，５１Ｂ３と枠形下面２４Ａとの間の距離は、図９に示すように、コンテナ１０の上端フランジ１４の厚さより僅かに大きくなっている。
【００４０】
図４に示すように、第１の外側突壁３１のうち係止突部５１より上側には、スリット５３が形成されている。スリット５３は、係止突部５１より僅かに横方向に長くなっていて、図８に示すように、係止面５１Ａ３，５１Ｂ３と面一の内面を下部に備え、枠形下面２４Ａと面一の内面を上部に備える。なお、スリット５３は、樹脂成形金型にて係止面５１Ａ３，５１Ｂ３を成形する際に形成される型抜き孔でもある。
【００４１】
図４に示すように、第１と第２の当接突条５４，５５は、第１の外側突壁３１の対向面３１Ｎにおける両側縁部に沿って上下方向に延びている。図８に示すように、これら第１及び第２の当接突条５４，５５は、面取斜面３１Ｓから枠形下面２４Ａに向かうに従って対向面３１Ｎから徐々に迫り出すように一定角度で傾斜した斜面５４Ｓ，５５Ｓを有する。そして、嵩上枠２０の角部２０Ｃ（図４参照）から遠い側の第１の当接突条５４の斜面５４Ｓの方が、角部２０Ｃに近い側の第２の当接突条５５の斜面５５Ｓより対向面３１Ｎに対する傾斜角が大きくなっている。即ち、図１１に強調して示すように、角部２０Ｃから遠い側の第１の当接突条５４の方が、角部２０Ｃに近い側の第２の当接突条５５より第１の内側突壁４１側に大きく突出している。第１の外側突壁３１の構造に関する説明は以上である。
【００４２】
第１の内側突壁４１の構造は以下の通りである。第１の内側突壁４１は、各第１の外側突壁３１に対向配置されている。また、図４に示すように、第１の内側突壁４１は、嵩上枠２０の内側面２０Ｎの下端部から垂下されて枠形下面２４Ａの内縁部より下方に突出している。さらに、嵩上枠２０の角部２０Ｃを挟んで隣り合う第１の内側突壁４１，４１は、角部２０Ｃに沿って湾曲するコーナー湾曲壁４６を介して連絡されてＬ形の内側突壁４３が構成されている。なお、図示しないが第１の内側突壁４１の対向面４１Ｎ（図５参照）と、嵩上枠２０の内側面２０Ｎ（図４参照）とは面一になっている。
【００４３】
図５に示すように、第１の内側突壁４１の対向面４１Ｎには、第１の外側突壁３１の第１と第２の当接突条５４，５５（図４参照）との対向位置に、第１と第２の当接突条４４，４５を備えている。それら第１及び第２の当接突条４４，４５は、図８に示すように、第１の内側突壁４１の下面４１Ｂから枠形下面２４Ａに向かうに従って対向面４１Ｎから徐々に離れるように一定角度で傾斜する斜面４４Ｓ，４５Ｓを有する。そして、嵩上枠２０の角部２０Ｃから遠い側の第１の当接突条４４の斜面４４Ｓの方が、近い側の第２の当接突条４５の斜面４５Ｓより対向面４１Ｎに対する傾斜角が大きくなっている。
【００４４】
即ち、図１１に強調して示すように、第１の内側突壁４１の第１と第２の当接突条４４，４５も、第１の外側突壁３１の第１と第２の当接突条５４，５５の関係と同様に、角部２０Ｃから遠い側の第１の当接突条４４の方が近い側の第２の当接突条４５より大きく突出している。そして、枠形下面２４Ａにおける第１の当接突条４４，５４同士の間隔Ｗ１が、枠形下面２４Ａにおける第２の当接突条４５，５５同士の間隔Ｗ２より狭くなっている。
【００４５】
また、第１の外側突壁３１と第１の内側突壁４１の対向面３１Ｎ，４１Ｎとの関係においては、それら対向面３１Ｎ，４１Ｎ同士の間隔Ｗ４を、両対向面３１Ｎ，４１Ｎから所定量δ１ずつ狭めると、第１の当接突条４４，５４同士の間隔Ｗ１となり、対向面３１Ｎ，４１Ｎ同士の間隔Ｗ４を、両対向面３１Ｎ，４１Ｎから所定量δ２ずつ狭めると、第２の当接突条４５，５５同士の間隔Ｗ２となる。第１の内側突壁４１の構造に関する説明は以上である。
【００４６】
図６に示すように、第２の外側突壁３２は、第１の外側突壁３１と同様に、枠形下面２４Ａの外縁から垂下され、第１の外側突壁３１と略同一の横幅をなしている。また、第２の外側突壁３２の下面３２Ｂは、第１の外側突壁３１の下面３１Ｂと面一になっている。さらには、図７に示すように、第２の外側突壁３２の外面３２Ｇにも第１の外側突壁３１と同様に側縁補強突条３４、下縁補強突条３５が備えられている。その第２の外側突壁３２の外面３２Ｇは、図１０に示すように、嵌合リブ２６の外面２６Ｇのより枠形下面２４Ａの幅方向の中心側にずれている。また、第２の外側突壁３２の対向面３２Ｎは、第１の外側突壁３１の対向面３１Ｎより枠形下面２４Ａの幅方向の中心側にずれている。また、第２の外側突壁３２の対向面３２Ｎと外面３２Ｇとの間の厚さと、第１の外側突壁３１の対向面３１Ｎと外面３１Ｇとの間の厚さとが略同一になっている。つまり、図９に示すように、第２の外側突壁３２は、全体が第１の外側突壁３１に対して枠形下面２４Ａの幅方向の中心側に、前記した所定量δ１，δ２よりも大きい所定量δ３だけずれている。なお、第２の外側突壁３２には、第１の外側突壁３１の第１と第２の当接突条５４，５５に相当するものはない。
【００４７】
図６に示すように、第２の外側突壁３２にも、第１の外側突壁３１と同様に、係止突部５２が設けられている。係止突部５２は、第２の外側突壁３２の横方向の両端寄り位置の間に形成されている。また、係止突部５２は、台形状をなし、先端面５２Ａ１と傾斜面５２Ａ２と係止面５２Ａ３とを備えている点においては第１の外側突壁３１の係止突部５１と共通する。そして、第１の外側突壁３１の係止突部５１が横方向で中央突起５１Ａとサイド突起５１Ｂとに分かれているのに対し、第２の外側突壁３２の係止突部５２は横方向で均一形状をなしている。
【００４８】
また、図９に示すように、第２の内側突壁３２の対向面３２Ｎからの係止突部５２の突出量は、第１の外側突壁３１の対向面３１Ｎからの係止突部５１の突出量より小さくなっている。そして、係止突部５２の先端面５２Ａ１は、枠形下面２４Ａの幅方向において、前記中央突起５１Ａの先端面５１Ａ１と前記サイド突起５１Ｂの先端面５１Ｂ１との間のうち中央突起５１Ａの先端面５１Ａ１寄りに位置している。
【００４９】
また、係止突部５２の傾斜面５２Ａ２は、全体が、サイド突起５１Ｂの傾斜面５１Ｂ２より枠形下面２４Ａの中央側に位置する。中央突起５１Ａの傾斜面５１Ａ２に対しては、係止突部５２の傾斜面５２Ａ２の上端部を除く全体が、枠形下面２４Ａの中央側に位置し、係止突部５２の傾斜面５２Ａ２の上端部は、中央突起５１Ａの傾斜面５１Ａ２の上端部に対して、枠形下面２４Ａの中央側から離れた側に位置している。
【００５０】
また、図６に示すように、第１の外側突壁３１と同様に、係止突部５２の傾斜面５２Ａ２と第２の外側突壁３２の下面３２Ｂとが交差する稜線３２Ｒは、第２の外側突壁３２の横方向の全体に亘って一直線状に延びている。さらに、第１の外側突壁３１と同様に、係止突部５２の両横には、傾斜面５２Ａ２と面一になった面取斜面３２Ｓ，３２Ｓが形成されている。また、第２の外側突壁３２のうち係止突部５２の上方には、スリット５３が形成されている。第２の外側突壁３２の構造に関する説明は以上である。
【００５１】
第２の内側突壁４２は、第１の内側突壁４１と同様に、嵩上枠２０の内側面２０Ｎから垂下されて枠形下面２４Ａより下方に突出し、第２の外側突壁３２と略同一の横幅をなしている。また、第１の外側突壁３１と第２の外側突壁３２との関係と同様に、第２の内側突壁４２は、全体が第１の内側突壁４１と同じ厚さをなし、第１の内側突壁４１に対して枠形下面２４Ａの幅方向の中心側に、前述の所定量δ３だけずれた位置に配置されている。即ち、図１１に強調して示すように、第１の外側突壁３１と第１の内側突壁４１の対向面３１Ｎ，４１Ｎとの関係においては、それら対向面３１Ｎ，４１Ｎ同士の間隔Ｗ４を、両対向面３１Ｎ，４１Ｎから所定量δ３ずつ狭めると、第２の外側突壁３２，第２の内側突壁４２の対向面３２Ｎ，４２Ｎ同士の間隔Ｗ３となる。
【００５２】
つまり、枠形下面２４Ａの長短の各辺に備えられた外側突壁群３０及び内側突壁群４０の上端フランジ１４に対する当接面同士の間隔（Ｗ１，Ｗ２，Ｗ３）は、前記各辺の中央に近づくに従って狭くなっている（Ｗ３＜Ｗ１＜Ｗ２）。また、上端フランジ１４に対する当接面同士の間の中心は互いに一致し、上端フランジ１４の幅方向の中心ＣＬ１とも一致するように設計されている。
【００５３】
本実施形態の嵩上枠付きコンテナ１０Ａの構成に関する説明は以上である。次に、この嵩上枠付きコンテナ１０Ａの作用効果について説明する。コンテナ１０に嵩上枠２０を装着するには、図１に示すように、コンテナ１０を、その上面開口１０Ｋを上方に向けて床等に載置し、コンテナ１０の上端フランジ１４の上面に、嵩上枠２０の枠形下面２４Ａを対向配置して近づける。すると、上端フランジ１４の外縁の各辺に、第１の外側突壁３１の係止突部５１の傾斜面５１Ａ２と第２の外側突壁３２の係止突部５２の傾斜面５２Ａ２とが当接して、コンテナ１０と嵩上枠２０とが心出しされる。この状態で、例えば下端フランジ２４の１対の長辺側壁２１，２１の上面中央か、１対の短辺側壁２２，２２の上面中央に両手を宛ってコンテナ１０に向け押し下げる。
【００５４】
すると、傾斜面５１Ａ２，５２Ａ２と上端フランジ１４の外縁部との摺接により第１及び第２の外側突壁３１，３２が外側に弾性変形して係止突部５１，５２が上端フランジ１４を乗り越え、第１及び第２の外側突壁３１，３２が弾性復帰して係止突部５１，５２が上端フランジ１４の下面に係止する。そして、嵩上枠２０の下端フランジ２４が上端フランジ１４の上面に当接し、上端フランジ１４が、第１及び第２の外側突壁３１，３２と第１及び第２の内側突壁４１，４２とによって幅方向から挟持される。
【００５５】
別の観点から見れば、複数の第１の外側突壁３１と複数の第２の外側突壁３２とからなる外側突壁群３０が上端フランジ１４の外側に嵌合し、複数の第１の内側突壁４１と複数の第２の内側突壁４２とからなる内側突壁群４０が上端フランジ１４の内側に嵌合する。このように嵩上枠２０には、上端フランジ１４の外側に嵌合する外側突壁群３０に加え、上端フランジ１４の内側に嵌合する内側突壁群４０を備えるので、嵩上枠２０とコンテナ１０と間にかかる水平方向の外力に対する強度が従来より高くなる。
【００５６】
また、図１１に示すように、嵩上枠２０の角部２０Ｃ側の第１の外側突壁３１群と上端フランジ１４との嵌合は、角部２０Ｃから離れた側の第２の外側突壁３２群と上端フランジ１４との嵌合より緩い。これにより、寸法公差により嵩上枠２０とコンテナ１０の大きさがばらついても、角部２０Ｃ側の第１の外側突壁３１群と上端フランジ１４との干渉が抑えられて、第１の外側突壁３１群を上端フランジ１４の外側に確実に嵌合させることができる。
【００５７】
また、コンテナ１０及び嵩上枠２０の側壁（具体的には、長辺側壁１１，２１，短辺側壁１２，２２）の中央部分は角部１０Ｃ，２０Ｃ側に比べて内外に変形し易いから、嵩上枠２０とコンテナ１０の大きさのばらつきにより、中央側の第２の外側突壁３２群と上端フランジ１４とは干渉しても、コンテナ１０又は嵩上枠２０の側壁を変形させて、第２の外側突壁３２群を上端フランジ１４の内側に確実に嵌合させることができる。
【００５８】
さらに、互いに対向する第１の外側突壁３１と第１の内側突壁４１においても、角部２０Ｃに遠い側が近い側より、上端フランジ１４に対する当接面同士の間隔が小さくなっているので、寸法公差による嵩上枠とコンテナとの大きさのばらつきに細かく対応することができる。これにより、外側突壁群３０及び内側突壁群４０の上端フランジ１４に対する嵌合がより一層安定する。
【００５９】
これらにより、コンテナ１０に嵩上枠２０を確実に装着することができる。しかも、中央側の第２の外側突壁３２群と上端フランジ１４との嵌合は、角部２０Ｃ側の第１の外側突壁３１群と上端フランジ１４との嵌合よりきついので、コンテナ１０と嵩上枠２０との嵌合が安定する。その安定した状態で、第１及び第２の外側突壁３１，３２の係止突部５１，５２が上端フランジ１４の下面に係止するので、それら係止も安定し、コンテナ１０に対する嵩上枠２０の装着強度が高くなる。
【００６０】
また、上端フランジ１４に対する嵌合がきつい第２の外側突壁３２の係止突部５２より、嵌合が緩い第１の外側突壁３１の係止突部５１の突出量が大きくなっているので、第１と第２の外側突壁３１，３２の係止突部５１，５２の上端フランジ１４に対する係止力のバランスがとれ、この点においてもコンテナ１０に対する嵩上枠２０の装着強度が高くなる。
【００６１】
また、第１及び第２の外側突壁３１，３２は係止突部５１，５２の上側にスリット５３を有して、横方向の両端部より中央部が変形し易くなっている。そして、第１の外側突壁３１においては、係止突部５１の中央突起５１Ａが、その両横のサイド突起５１Ｂ，５１Ｂより大きく突出している。即ち、係止突部５１の突出量が、第１の外側突壁３１の変形し易い中央部で大きくなっている。このように、第１の外側突壁３１の横方向の位置の相違による変形の容易度に応じて係止突部５１の突出量を変えたことで、係止突部５１を第１の外側突壁３１の横方向に大きくしかつ係止を深くすることができる。
【００６２】
［第２実施形態］
図１２には、本発明の本実施形態の嵩上枠２０Ｖの概念図が示されている。この嵩上枠２０Ｖは、前記第１実施形態の嵩上枠２０において第２の内側突壁４２を廃止しかつ、各側壁の両端部の第１の内側突壁４１，４１を連続させた構造の内側突壁４１Ｖを備える。即ち、嵩上枠２０Ｖの下端内縁部全体から内側突壁４１Ｖが垂下している。また、その内側突壁４１Ｖのうち第２の外側突壁３２の両側縁部と対向する位置からは、第１及び第２の当接突条４４，４５と同様に、上下方向に延びる１対の第３の当接突条５６，５６が突出していて、それら第３の当接突条５６，５６の先端面と第２の外側突壁３２の対向面３２Ｎとの間隔Ｗ３は、前記した第１実施形態の第２の外側突壁３２の対向面３２Ｎと第２の内側突壁４２の対向面４２Ｎとの間隔Ｗ３と同じになっている。本実施形態の構成によっても第１実施形態の嵩上枠２０と同様の効果を奏する。
【００６３】
［第３実施形態］
図１３には、本発明の本実施形態の嵩上枠２０Ｗの概念図が示されている。この嵩上枠２０Ｗは、前記第２実施形態の嵩上枠２０Ｖの内側突壁４１Ｖから第１，第２及び第３の当接突条４４，４５，５６を除去した構造の内側突壁４１Ｗを備え、嵩上枠２０Ｗとコンテナ１０との寸法公差に拘わらず、内側突壁４１Ｗが上端フランジ１４の内側に嵌合するようになっている。
【００６４】
また、第１の外側突壁３１と内側突壁４１Ｗの対向面３１Ｎ，４１Ｎとの関係においては、それら対向面３１Ｎ，４１Ｎ同士の間隔Ｌ１を、第１の外側突壁３１の対向面３１Ｎ側から所定量δ２を狭めると、第２の当接突条５５と内側突壁４１Ｗの対向面４１Ｎとの間隔Ｌ２となり、前記間隔Ｌ１を、第１の外側突壁３１の対向面３１Ｎ側から所定量δ１を狭めると、第１の当接突条５４と内側突壁４１Ｗの対向面４１Ｎとの間隔Ｌ３となり、前記間隔Ｌ１を、第１の外側突壁３１の対向面３１Ｎ側から所定量δ３を狭めると、第２の外側突壁３２の対向面３２Ｎと内側突壁４１Ｗの対向面４１Ｎとの間隔Ｌ４となる。
【００６５】
つまり、嵩上枠２０Ｗにおける枠形下面２４Ａの長短の各辺に備えられた外側突壁３０及び内側突壁４１Ｗの上端フランジ１４に対する当接面同士の間隔（Ｌ２，Ｌ３，Ｌ４）は、前記各辺の中央に近づくに従って狭くなっている（Ｌ４＜Ｌ３＜Ｌ２）。
【００６６】
本実施形態の構成によっても、嵩上枠２０Ｗをコンテナ１０に確実に装着することができかつ装着強度を高くすることができる。
【００６７】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６８】
（１）前記第１実施形態では、係止突部５１に中央突起５１Ａを設けたことで、第１の外側突壁３１の横方向のうち変形容易な部位（中央部）ほど係止突部５１の突出量が大きい構造となっていたが、係止突部５１の先端面を第１の外側突壁３１の横方向の両端側から中央側に向かって徐々に突出量が大きくなる円弧形状にして、第１の外側突壁３１のうち変形容易な部位ほど係止突部５１の突出量が大きい構造としてもよい。なお、第１の外側突壁３１が横方向の中央より両端部の方が変形し易い場合には、係止突部５１を、第１の外側突壁３１の横方向の中央より両端側の方が突出量が大きい構造にすればよい。
【００６９】
（２）前記第１実施形態における第１の外側突壁３１及び第１の内側突壁４１の対向面３１Ｎ，４１Ｎに当接突条４４，５４，４５，５５を設けず、それら対向面３１Ｎ，４１Ｎの間隔が角部２０Ｃに向かって徐々に大きくなるように傾斜させることで、第１の外側突壁３１及び第１の内側突壁４１において、角部２０Ｃから遠い側が近い側より、上端フランジ１４に対する当接面同士の間隔が小さい構造としてもよい。
【００７０】
（３）また、嵩上枠に内側突壁を設けず、複数の外側突壁がコンテナの外側のみに嵌合する構成としてもよい。
【００７１】
（４）本願発明の変形例として図１４に概念的に示された構成としてもよい。即ち、本願発明の変形例の嵩上枠２０Ｘは、前記第３実施形態の嵩上枠２０Ｗにおいて全ての第１の外側突壁３１を第２の外側突壁３２に変更してなる。また、コンテナ１０Ｘの上端フランジ１４Ｘには、嵩上枠２０Ｘにおける角部２０Ｃ寄りの第２の外側突壁３２との対向部分に凹部１４Ａが備えられている。このような構造とすることで、嵩上枠２０の角部２０Ｃ側の第２の外側突壁３２群と上端フランジ１４Ｘとの嵌合を、中央側の第２の外側突壁３２群と上端フランジ１４Ｘとの嵌合より緩くすることができ、請求項１の発明の効果と一部が同じ効果を奏する。
【００７２】
（５）また、図１５に示したコンテナ１０Ｙのように、凹部１４Ａのうちコンテナ１０Ｙの角部１０Ｃに近い側の端部を更に窪ませて凹部１４Ｂを備えた構造としてもよい。
【００７３】
（６）なお、本発明を適用してコンテナ１０，１０同士を段積みする際に互いに嵌合される下段側のコンテナ１０の上面開口１０Ｋと上段側のコンテナ１０の下面突部１０Ｔとの関係においても、角部１０Ｃ側に近い側で嵌合が緩く、角部１０Ｃ側から遠い側で嵌合がきつくなるように構成してもよい。
【符号の説明】
【００７４】
１０，１０Ｘ，１０Ｙ    コンテナ
１０Ａ  嵩上枠付きコンテナ
１４，１４Ｘ，１４Ｙ  上端フランジ
２０，２０Ｖ，２０Ｗ，２０Ｘ    嵩上枠
２４Ａ    枠形下面
２５    上端フランジ
３１，３２    外側突壁
４１，４２，４１Ｖ，４１Ｗ    内側突壁
５１，５２    係止突部
５３    スリット
【図１】
2018104020.tif 000003
【図２】
2018104020.tif 000004
【図３】
2018104020.tif 000005
【図４】
2018104020.tif 000006
【図５】
2018104020.tif 000007
【図６】
2018104020.tif 000008
【図７】
2018104020.tif 000009
【図８】
2018104020.tif 000010
【図９】
2018104020.tif 000011
【図１０】
2018104020.tif 000012
【図１１】
2018104020.tif 000013
【図１２】
2018104020.tif 000014
【図１３】
2018104020.tif 000015
【図１４】
2018104020.tif 000016
【図１５】
2018104020.tif 000017